(57)【要約】 【課題】  操作性が良く、使用可能な機能と追加可能な機能やオプション機能をがあること容易に知ることができ、使用できるミシンを提供する。【解決手段】  オプション機能ＲＯＭ３０からオプション機能ＲＡＭ４に登録された機能は、オプション機能表示データＲＯＭ３のデータに基づいて通常機能と同一の表示がなされ、オプション機能ＲＡＭ４に登録されていない機能はオプション機能表示データＲＯＭ３のデータに基づいて通常機能とは区別した表示がなされる。【選択図】  図１
2006312067.tif 000002
【特許請求の範囲】
【請求項１】
演算処理装置を備え、該演算処理装置に命令コード、データコード等を含むプログラムを付与することにより所定の機能を実行するミシンにおいて、
ミシン本体内に設けられ、そのまま使用可能に有効化された有効機能であるミシンの所定の機能を実行するプログラムを記憶する記憶手段と、前記所定の機能を実行するミシンに対して設けられて、有効化可能であるが有効化されていない非有効機能である追加可能な機能又はオプション機能を実行するプログラムを記憶する手段と、前記そのまま使用可能に有効化された有効機能であるミシンの所定の機能を表示する表示データと当該ミシンのオプション機能で有効化されていない非有効機能を表示する表示データとを夫々記憶する手段と、前記有効化された有効機能と、前記有効化されていない非有効機能である、当該ミシンの追加可能な機能又はオプション機能を区別可能に表示する手段と、該有効化されていない追加可能な機能又はオプション機能である非有効機能を有効化して追加するための手段と、該表示する手段で表示された有効化された機能を指定してミシンの機能を実行するようにしたことを特徴とするミシン。
【請求項２】
前記有効機能を実行するプログラムを記憶する記憶手段と、前記非有効機能を実行するプログラムを記憶する記憶手段と、が同一の記憶手段である、請求項１のミシン
【請求項３】
前記有効機能を実行するプログラムを記憶する記憶手段が、ミシン本体内に設けられた記憶手段であり、前記非有効機能を実行するプログラムを記憶する記憶手段が、ミシン本体外に前記演算処理装置に接続可能に設けられた外部の記憶手段である、請求項１のミシン。
【請求項４】
当該ミシンの追加機能又はオプション機能で有効化されていない非有効機能を表示する表示データがミシン本体に接続したときに、表示データを本体内に自動的に読み込ませるようにしたことを特徴とする請求項１又は２又は３に記載のミシン。
【発明の詳細な説明】
【技術分野】
【０００１】
この発明は、ミシンに関する。
【背景技術】
【０００２】
ミシンは近年様々の機能を有するようになってきており、通常の縫い機能に加えて刺繍縫いやボタンホール縫い等の多様な機能を有している。このような機能は所定のプログラムに従って制御を実行するマイクロコンピュータを主体とする演算制御装置によって実現されている。
しかし、近年上記したような付属的な機能が多くなり過ぎてきており、そのためにプログラムを記憶するための内部メモリの不足が問題になっている。また、ユーザによっては、不要な機能もあり不必要な機能があるために操作が複雑化し、価格も高くなる等の問題も生じてきている。
そのために、機能のプログラムをメモリカードなどの外部メモリに格納しておき、必要に応じてミシン本体に装着或いはプログラムをミシン側に転送する構成のものも提案されてきている。
【発明の開示】
【発明が解決しようとする課題】
【０００３】
しかし、上記した構成のミシンの場合、ミシン本体に備えられた機能の他にどのような機能の付加、追加が可能なのか分かりにくい欠点があり、そのため用意された種々の機能が十分に使われなくなる等の問題があった。
本発明は上記従来技術の欠点を改善することを目的とする。
【課題を解決するための手段】
【０００４】
上記目的を達成するために、本発明のミシンは、演算処理装置を備え、該演算処理装置に命令コード、データコード等を含むプログラムを付与することにより所定の機能を実行するミシンにおいて、ミシン本体内に設けられ、そのまま使用可能に有効化された有効機能であるミシンの所定の機能を実行するプログラムを記憶する記憶手段と、前記所定の機能を実行するミシンに対して設けられて、有効化可能であるが有効化されていない非有効機能である追加可能な機能又はオプション機能を実行するプログラムを記憶する手段と、前記そのまま使用可能に有効化された有効機能であるミシンの所定の機能を表示する表示データと当該ミシンの追加可能な機能又はオプション機能で有効化されていない非有効機能を表示する表示データとを夫々記憶する手段と、前記有効化された有効機能と、前記有効化されていない非有効機能である、当該ミシンの追加可能な機能又はオプション機能を区別可能に表示する手段と、該有効化されていないオプション機能である非有効機能を有効化して追加するための手段と、該表示する手段で表示された有効化された機能を指定してミシンの機能を実行するようにしたことを特徴とする。
表示するための手段には、ミシン本体に格納された機能と外部記憶手段の機能とが表示されるから、ユーザは本体備え付け機能の他にどのような追加可能な機能やオプション機能があるのか知ることが可能になる。
前記表示するための手段は、前記格納するための手段に格納されたプログラムの機能と、前記外部記憶手段に格納されたプログラムの機能とを区別可能に表示することが望ましく、表示画面を別にしてユーザの選択により切り換え表示したり、或いは同一画面上に色や背景模様、濃淡などを変化させて区別可能に表示するなど、種々の表示形態を採用可能である。
前記表示するための手段は、前記格納するための手段に格納されたプログラムの機能と前記外部記憶手段に格納されたプログラムの機能とを表示するためのデータを予め保持していることが望ましい。しかし、記憶容量の問題や後発的に付加された機能等の表示の問題から、前記表示するための手段が、外部記憶手段に格納されたプログラムの機能に関しては、その外部記憶手段から表示データを付与されるように構成することも可能である。例えば外部記憶手段をミシン本体に接続したときに、表示データを本体内に自動的に読み込ませる等の構成とすることが可能である。
また前記外部記憶手段に格納されたプログラムは、特定のコードを入力する等、特定の操作により有効化するように構成することも可能である。このような構成により、予め全てのプログラムをユーザに供給しておき、料金の支払いにより特定のコードを連絡し、該コードの入力により初めて該プログラムを有効化する等の構成を採用することが可能になる。
【発明の効果】
【０００５】
本発明のミシンによれば、有効化された機能と有効化されていない機能を明確に表示することができ、表示の見やすさや操作の容易さを得ることが可能になる効果がある。
そして、本発明のミシンによれば、多様な機能を用意していても、プログラムを記憶するための内部メモリに依存しないことにより製作上安価にできるだけでなく、ユーザによっては、不要な機能もあり不必要な機能があるために操作が複雑化することを防止する効果がある。
また、機能のプログラムをメモリカードなどの外部メモリに格納しておき、必要に応じてミシン本体に装着或いはプログラムをミシン側に転送する構成のものでは、ミシン本体に備えられた機能の他にどのような機能の付加、追加が可能なのか分からない欠点を解決し、当該ミシンに用意された種々の機能が必要に応じて有効化することにより、十分に使われるようにすることができる。
【発明を実施するための最良の形態】
【０００６】
演算処理装置を備え、該演算処理装置に命令コード、データコード等を含むプログラムを付与することにより所定の機能を実行するミシンにおいて、
ミシン本体内に設けられ、そのまま使用可能に有効化された有効機能であるミシンの所定の機能を実行するプログラムを記憶すること。また、有効化可能であるが有効化されていない非有効機能である追加可能な機能やオプション機能を実行するプログラムを記憶すること。
そして有効化された有効機能と、有効化されていない非有効機能である、当該ミシンの追加可能な機能やオプション機能を区別可能に表示すること。そして該有効化されていない追加可能な機能やオプション機能である非有効機能を有効化して追加し、該表示する手段で表示された有効化された機能を指定して新たなミシンの機能も実行する。
【０００７】
以下本発明の実施の形態を図面に基づいて説明する。なお、以下でＲＯＭとは、機能を説明する上で用いられているものであり、読み出し機能を備えている不揮発の記憶装置を意味している。即ち、通常用いられる読み出し専用メモリの意味ではなく、書き込み可能であることを排除するものではない。
図１において、中央演算処理装置１はマイクロコンピュータを主体に構成され、このミシンの種々の制御を行うようになっている。
基本機能ＲＯＭ２には基本的な機能のプログラム、データ及び必要な表示データ等が含まれている。
中央演算処理装置１は基本機能ＲＯＭ２のプログラム等に基づいて表示制御装置２０を介して表示装置２１に適宜表示を行い、またミシンモータ駆動回路２２を介して縫い目形成機構２３を駆動して縫いを実行させる。また、この実施形態ではＸ−Ｙモータ駆動回路２４と刺繍形成機構２５を備えており、刺繍縫いも実行させるようになっている。
これらの種々の機能はユーザが機能選択釦２６を操作することにより選択できるようになっている。
【０００８】
中央演算処理装置１には更にオプション機能表示データＲＯＭ３とオプション機能ＲＡＭ４が接続されている。ここでオプションとは、ミシンに付属している機能であるが、そのプログラムやデータは外付けのオプション機能ＲＯＭ３０に格納されており、オプション機能ＲＯＭ３０を接続し或いは登録することにより初めて有効となる機能のことである。
【０００９】
オプション機能表示データＲＯＭ３には予めオプション機能全てを表す表示データが記憶されており、ユーザはオプションとしてどのような機能が用意されているのか知ることが出来るようになっている。
図２に表示の一例を示す。（Ａ）においては、４つの標準機能表示４０と２つのオプション機能表示４１がなされている。オプション機能表示４１は色彩或いは模様、濃淡などにより標準機能表示４０と明確に区別して表示されており、ユーザはオプション機能表示４１に表示されたオプションが有効化されていないことを知ることができるようになっている。標準機能表示４０とオプション機能表示４１の区別表示は種々の形態が可能であり、有効化機能の画面と非有効化機能の画面を変える方法なども可能である。
オプション機能がオプション機能ＲＡＭ４に読み込まれて有効化されると、図２の（Ｂ）に示すように、オプション機能表示４１は標準機能表示４０と同一の表示に変化してオプション機能表示４１’となり、有効化されていることが示されるようになっている。
【００１０】
オプション機能ＲＡＭ４にはオプション機能ＲＯＭ３０に記憶された機能が登録されるようになっている。ユーザはオプション機能ＲＯＭ３０を装着し、登録／削除操作装置１０を操作してその中から所望のオプション機能を選択し、オプション機能ＲＡＭ４に記憶させることが出来るようになっている。
また、オプション機能ＲＡＭ４に一度記憶させたオプション機能を登録／削除操作装置１０により削除することも出来るように構成されている。
これにより、ユーザは必要とする最小のオプション機能をオプション機能ＲＡＭ４に登録しておけば良く、不必要な機能がないから良好な操作性を得ることが可能になる。
なお、オプション機能ＲＡＭ４を用いずに直接オプション機能ＲＯＭ３０からプログラム等を読み出して制御するように構成することも可能である。
また、オプション機能ＲＡＭ４としてはフラッシュメモリ等の不揮発メモリを用いるのが望ましい。また、オプション機能ＲＯＭ３０としてはＲＯＭカードやＣＤ―ＲＯＭ等が使用可能である。
【００１１】
追加機能ＲＡＭ５は追加機能のプログラムやデータ等を記憶するためのもので、追加機能ＲＯＭ３１から読み出して記憶するようになっている。追加機能表示データＲＡＭ６は追加機能の表示データを記憶するためのもので、同様に追加機能ＲＯＭ３１から読み出して記憶するようになっている。
ここで追加機能とは、ミシン本体には付属せず、別売等により後から追加する機能のことを意味している。この追加機能を表す表示データはミシン本体に予め記憶されておらず、追加機能ＲＯＭ３１から読み出して追加機能表示データＲＡＭ６に記憶させることにより、初めて表示されるようになっている。
【００１２】
図２において、（Ａ）では追加機能の表示データが追加機能表示データＲＡＭ６に記憶されておらず、そのため全く表示されていない。ユーザが追加機能ＲＯＭ３１を購入する等により、中央演算処理装置１に接続すると、追加機能ＲＯＭ３１の表示データが追加機能表示データＲＡＭ６に記憶され、図２の（Ｂ）に示すように追加機能表示４２が表示されるようになっている。この時、追加機能実現のための追加機能ＲＯＭ３１のプログラム及びデータ等が追加機能ＲＡＭ５に記憶されていないときは、追加機能表示４２は標準機能表示４０とは区別されて表示されるようになっている。この区別はオプション機能表示４１と同様に色彩や模様、濃淡或いは画面の変更など種々のものが可能である。
【００１３】
追加機能ＲＯＭ３１からプログラムやデータが追加機能ＲＡＭ５に転送され、記憶されると、図２の（Ｃ）に示すように追加機能表示４２は標準機能表示４０と同一の表示に変化して追加機能表示４２’となって、機能が有効化していることが表示されるようになっている。
【００１４】
なお、追加機能ＲＯＭ３１からプログラム等を転送する際には、登録／削除操作装置１０により選択可能であり、また追加機能ＲＡＭ５に記憶されたものを削除することも可能になっている。この実施形態では更にキーワード入力装置１１を備えており、所定のキーワードを入力したときに初めて所定の機能を入力できるように構成されている。
これにより、予め追加機能ＲＯＭ３１に供給される全てのプログラムを予め入力しておき、ユーザの要求或いは購入によりキーワードを提供して当該プログラムを有効化することが可能になる。
なお、追加機能ＲＯＭ３１としてはＣＤ−ＲＯＭやＲＯＭカード等種々のものが使用可能である。
【００１５】
図３により動作を説明する。
中央演算処理装置１はオプション機能ＲＯＭ３０からオプション機能がオプション機能ＲＡＭ４に登録されているか否か判定し（ステップＳ１）、登録されていれば当該登録されたオプション機能を表示装置２１に通常機能と区別することなく同様に表示する（ステップＳ２）。登録されていない場合には、通常機能と区別して表示する（ステップＳ３）。
次に中央演算処理装置１は追加機能表示データＲＡＭ６に追加機能の表示データがあるか否か判定し（ステップＳ４）、表示データがない場合には、終了する。表示データがある場合には、追加機能が追加機能ＲＡＭ５に登録されているか否か判断し（ステップＳ５）、登録済みであれば追加機能を通常機能と区別なく同様に表示する（ステップＳ６）。登録済みでない場合には、図２の（Ｂ）に示すように通常機能と区別して表示する（ステップＳ７）。
以上の構成により、ユーザは現在有効化されている機能と追加可能な機能とを判別することが可能になり、視認のしやすさや良好な操作性を得ることが可能になる。
【図面の簡単な説明】
【００１６】
【図１】本発明の一実施形態を示す機能ブロック図。
【図２】本発明の一実施形態における表示の一例を示す説明図。
【図３】本発明の一実施形態の動作を示すフローチャート図。
【符号の説明】
【００１７】
１：中央演算処理装置、２：基本機能ＲＯＭ、３：オプション機能表示データＲＯＭ、４：オプション機能ＲＡＭ、５：追加機能ＲＡＭ、６：追加機能表示データＲＡＭ、１０：登録／削除操作装置、１１：キーワード入力装置、２０：表示制御装置、２１：表示装置、２２：ミシンモータ駆動回路、２３：縫い目形成機構、２４：Ｘ−Ｙモータ駆動回路、２５：刺繍形成機構、２６：機能選択釦、３０：オプション機能ＲＯＭ、３１：追加機能ＲＯＭ、４０：標準機能表示、４１：オプション機能表示、４２：追加機能表示。
【図１】
2006312067.tif 000003
【図２】
2006312067.tif 000004
【図３】
2006312067.tif 000005